(57)【要約】【課題】音声で情報の検索要求を入力して、検索した情報を受信機に表示させるシステムを提供する。【解決手段】システムは、放送経路により送信される放送情報及び通信経路により送信される通信情報を受信可能な受信機と、入力した音声に基づいて生成した音声信号と音声に基づいて検索された検索結果を送信する送信先の受信機を識別する識別情報とを送信する音声入力部と、音声入力部から音声信号と識別情報を受信して文字列情報を生成して、文字列情報と識別情報を送信するサーバ１と、サーバ１から文字列情報と識別情報とを受信し、文字列情報が所定の情報の検索を要求する検索要求を含むか否かを判定し、検索要求が含まれる場合、検索要求と識別情報を送信するサーバ２と、サーバ２から検索要求と識別情報とを受信し、検索要求に基づいて検索した検索結果を、識別情報により識別される受信機に対して通信経路を介して送信するサーバ３と、を備える。【選択図】図１
2020030513.tif 000002
【特許請求の範囲】
【請求項１】
放送経路により送信される放送情報及び通信経路により送信される通信情報を受信可能な受信機と、
入力した音声に基づいて生成した音声信号と、前記音声に基づいて検索された検索結果を送信する送信先の前記受信機を識別する識別情報とを送信する音声入力装置と、
前記音声入力装置から前記音声信号と前記識別情報とを受信し、前記音声信号に基づいて文字列情報を生成して、当該文字列情報と前記識別情報とを送信する第１サーバと、
前記第１サーバから前記文字列情報と前記識別情報とを受信し、前記文字列情報が所定の情報の検索を要求する検索要求を含むか否かを判定し、当該検索要求が含まれる場合、当該検索要求と前記識別情報とを送信する第２サーバと、
前記第２サーバから前記検索要求と前記識別情報とを受信し、前記検索要求に基づいて検索した検索結果を、前記識別情報により識別される前記受信機に対して、前記通信経路を介して送信する第３サーバと、
を備えるシステム。
【請求項２】
前記第３サーバは、
前記検索結果に応じて、当該検索結果を表示するための表示情報を生成し、当該表示情報を、前記識別情報により識別される前記受信機に対して、前記通信経路を介して送信する請求項１に記載のシステム。
【請求項３】
前記識別情報により識別される前記受信機を、前記通信経路を介して送信される通信情報を表示可能な状態にさせる第４サーバを備え、
前記第２サーバは、前記文字列情報が検索要求を含むと判定した場合、前記識別情報により識別される前記受信機を、前記通信経路を介して送信される通信情報を表示可能な状態にさせる要求を、前記第４サーバへ送信する請求項１又は２に記載のシステム。
【請求項４】
前記受信機は、ハイブリッドキャスト放送を受信可能である請求項１〜３の何れか一項に記載のシステム。
【請求項５】
前記音声入力装置が、第１の表現により、所定の情報を検索することを要求する前記音声を入力した場合と、
前記音声入力装置が、第２の表現により、前記所定の情報を検索することを要求する前記音声を入力した場合において、
前記第２サーバは、同一の前記検索要求を送信する請求項１〜４の何れか一項に記載のシステム。
【請求項６】
前記第２サーバは、前記文字列情報と、前記判定結果との関係を学習可能である請求項１〜５の何れか一項に記載のシステム。
【請求項７】
音声入力装置に入力された音声に基づいて生成された検索要求と、放送経路により送信される放送情報及び通信経路により送信される通信情報を受信可能であり、前記音声に基づいて検索された検索結果が送信される送信先の受信機を識別する識別情報とを受信し、前記検索要求に基づいて検索した検索結果を、前記識別情報により識別される前記受信機に対して、前記通信経路を介して送信するサーバ。
【請求項８】
音声入力部装置が、入力した音声に基づいて生成した音声信号と、放送経路により送信される放送情報及び通信経路により送信される通信情報を受信可能であり、前記音声に基づいて検索された検索結果が送信される送信先の受信機を識別する識別情報とを送信することと、
第１サーバが、前記音声入力装置から前記音声信号と前記識別情報とを受信して、前記音声信号に基づいて文字列情報を生成して、当該文字列情報と前記識別情報とを送信することと、
第２サーバが、前記第１サーバから前記文字列情報と前記識別情報とを受信して、前記文字列情報が所定の情報の検索を要求する検索要求を含むか否かを判定し、当該検索要求が含まれる場合、当該検索要求と前記識別情報とを送信することと、
第３サーバが、前記第２サーバから前記検索要求と前記識別情報とを受信して、前記第３サーバが、前記検索要求に基づいて検索した検索結果を、前記識別情報により識別される前記受信機に対して、前記通信経路を介して送信すること、
を含む方法。
【請求項９】
サーバが、
音声入力装置に入力された音声に基づいて生成された検索要求と、放送経路により送信される放送情報及び通信経路により送信される通信情報を受信可能であり、前記音声に基づいて検索された検索結果が送信される送信先の受信機を識別する識別情報とを受信して、前記検索要求に基づいて検索した検索結果を、前記識別情報により識別される前記受信機に対して、前記通信経路を介して送信すること、
を含む方法。
【発明の詳細な説明】
【技術分野】
【０００１】
本発明は、音声で情報を検索するシステム、サーバ及び方法に関する。
【背景技術】
【０００２】
近年、ハイブリッドキャスト放送を受信可能な受信機が開発されている。
【０００３】
ハイブリッドキャスト放送を受信可能な受信機は、放送局から一斉放送される番組を受信すると共に、ネットワークを介した通信により画像及び音声を含む情報を受信する。
【０００４】
ユーザは、一斉放送される放送番組を視聴可能であると共に、個別に興味のある情報を、ネットワークを介して取得して視聴することができる。
【０００５】
受信機は、ハイブリッドキャスト放送の放送情報に含まれるデータ放送を表示することにより、ハイブリッドキャスト放送の画面を、放送番組の画面に重畳して表示する。ユーザは、受信機を操作するリモートコントローラを用いて、ハイブリッドキャストの画面を操作して、選択した情報を視聴し得る。
【０００６】
ここで、ユーザは、リモートコントローラが有する十字キー及び決定キー等のボタンを用いて、ハイブリッドキャスト放送の画面を操作する（例えば、特許文献１参照）。具体的には、ユーザは、リモートコントローラを用いて、ハイブリッドキャスト放送の画面に表示される複数のボタンの画像の内から、所望のボタンの画像を選択した後、決定キーを操作するといった行為を行う。
【０００７】
一方、近年では、音声を入力することにより装置を制御する技術が開発されている（例えば、特許文献２参照）。声を発する行為は人の自然な動作であり、音声を用いて装置を制御することは、人間工学的にも好ましいと考えられる。
【先行技術文献】
【特許文献】
【０００８】
【特許文献１】特開２０１５−５６８８３号公報
【特許文献２】特開２０１５−２３２８６８号公報
【発明の概要】
【発明が解決しようとする課題】
【０００９】
リモートコントローラが有する十字キー及び決定キー等のボタンは比較的小さいこともあり、リモートコントローラの操作性は良好とは言い難い面がある。例えば、受信機を操作して何らかの情報を検索する場合、リモートコントローラを用いて検索要求を文字列として入力する。
【００１０】
しかし、上述したように、リモートコントローラを用いて、多くの文字列を入力する作業は容易ではない。特に、高齢者がリモートコントローラを操作することは容易ではないと考えられる。
【００１１】
本明細書では、音声で情報の検索要求を入力して、検索した情報を受信機に表示させるシステム、サーバ及び方法を提供することを課題とする。
【課題を解決するための手段】
【００１２】
本明細書に開示するシステムによれば、放送経路により送信される放送情報及び通信経路により送信される通信情報を受信可能な受信機と、入力した音声に基づいて生成した音声信号と、音声に基づいて検索された検索結果を送信する送信先の受信機を識別する識別情報とを送信する音声入力部と、音声入力部から音声信号と識別情報とを受信し、音声信号に基づいて文字列情報を生成して、当該文字列情報と識別情報とを送信する第１サーバと、第１サーバから文字列情報と識別情報とを受信し、文字列情報が所定の情報の検索を要求する検索要求を含むか否かを判定し、当該検索要求が含まれる場合、当該検索要求と識別情報とを送信する第２サーバと、第２サーバから検索要求と識別情報とを受信し、検索要求に基づいて検索した検索結果を、識別情報により識別される受信機に対して、通信経路を介して送信する第３サーバと、を備える。
【００１３】
また、本明細書に開示するサーバによれば、音声入力装置に入力された音声に基づいて生成された検索要求と、放送経路により送信される放送情報及び通信経路により送信される通信情報を受信可能であり、音声に基づいて検索された検索結果が送信される送信先の受信機を識別する識別情報とを受信し、検索要求に基づいて検索した検索結果を、識別情報により識別される受信機に対して、通信経路を介して送信する。
【００１４】
また、本明細書に開示する方法によれば、音声入力部装置が、入力した音声に基づいて生成した音声信号と、放送経路により送信される放送情報及び通信経路により送信される通信情報を受信可能であり、音声に基づいて検索された検索結果が送信される送信先の受信機を識別する識別情報とを送信することと、第１サーバが、音声入力装置から音声信号と識別情報とを受信して、音声信号に基づいて文字列情報を生成して、当該文字列情報と識別情報とを送信することと、第２サーバが、第１サーバから文字列情報と識別情報とを受信して、文字列情報が所定の情報の検索を要求する検索要求を含むか否かを判定し、当該検索要求が含まれる場合、当該検索要求と識別情報とを送信することと、第３サーバが、第２サーバから検索要求と識別情報とを受信して、第３サーバが、検索要求に基づいて検索した検索結果を、識別情報により識別される受信機に対して、通信経路を介して送信すること、を含む。
【００１５】
更に、本明細書に開示する他の方法によれば、サーバが、音声入力装置に入力された音声に基づいて生成された検索要求と、放送経路により送信される放送情報及び通信経路により送信される通信情報を受信可能であり、音声に基づいて検索された検索結果が送信される送信先の受信機を識別する識別情報とを受信して、検索要求に基づいて検索した検索結果を、識別情報により識別される受信機に対して、通信経路を介して送信すること、を含む。
【発明の効果】
【００１６】
上述した本明細書に開示するシステムによれば、音声で情報の検索要求を入力して、検索した情報を受信機に表示することができるので、受信機の操作性が向上する。
【００１７】
また、上述した本明細書に開示するサーバによれば、音声で情報の検索要求を入力して、検索した情報を受信機に表示することができるので、受信機の操作性が向上する。
【００１８】
更に、上述した本明細書に開示する方法によれば、音声で情報の検索要求を入力して、検索した情報を受信機に表示することができるので、受信機の操作性が向上する。
【図面の簡単な説明】
【００１９】
【図１】本明細書に開示するシステムの一実施形態の構成を示す図である。
【図２】受信機に表示される画面の例を示す図である。
【図３】第１サーバの構成を示す図である。
【図４】第２サーバの構成を示す図である。
【図５】第３サーバの構成を示す図である。
【図６】受信機管理表を説明する図である。
【図７】ゴミ収集情報管理表を説明する図である。
【図８】動画データ管理表を説明する図である。
【図９】第４サーバの構成を示す図である。
【図１０】受信機管理表を説明する図である。
【図１１】システムの動作を説明するシーケンス図（その１）である。
【図１２】システムの動作を説明するシーケンス図（その２）である。
【図１３】システムの動作を説明するシーケンス図（その３）である。
【図１４】受信機の画面に表示される検索結果の例を示す図（その１）である。
【図１５】受信機の画面に表示される検索結果の例を示す図（その２）である。
【発明を実施するための形態】
【００２０】
以下、本明細書で開示するシステムの好ましい一実施形態を、図を参照して説明する。但し、本発明の技術範囲はそれらの実施形態に限定されず、特許請求の範囲に記載された発明とその均等物に及ぶものである。
【００２１】
図１は、本明細書に開示するシステムの一実施形態の構成を示す図である。
【００２２】
本実施形態のシステム１は、受信機１０と、音声入力装置２０と、第１サーバ３０と、第２サーバ４０と、第３サーバ５０と、第４サーバ６０と、遠隔制御装置７０と、リモートコントローラ８０を備える。
【００２３】
受信機１０は、放送経路により一斉送信される放送情報及び通信経路により送信される通信情報を受信可能であり、ハイブリッドキャスト放送を受信可能な受信機である。受信機１０は、データ放送に含まれるＨＴＭＬ５（Ｈｙｐｅｒ  Ｔｅｘｔ  Ｍａｒｋｕｐ  Ｌａｎｇｕａｇｅ  ５）で記述されたプログラムを実行可能である。
【００２４】
受信機１０は、放送局から電波として無線経路で送信されるデジタル放送信号、又は、ケーブルテレビ局から有線経路で送信されるデジタル放送信号を、上述した放送情報として受信する。また、受信機１０は、通信経路としてのネットワークＮを介して通信情報を送受信する。なお、受信機１０は、アナログ放送信号を受信可能であってもよい。
【００２５】
受信機１０は、ネットワークＮを介して、第３サーバ５０と通信可能に接続される。受信機１０は、受信した画像情報を表示し且つ受信した音響情報を出力して、放送情報又は通信情報を再生する。
【００２６】
受信機１０と、音声入力装置２０と、遠隔制御装置７０と、リモートコントローラ８０は、ユーザ９０の自宅１００に配置され得る。音声入力装置２０と、受信機１０とは、別の装置である。音声入力装置２０は、ネットワークＮを介して、第１サーバ３０と通信可能に接続される。遠隔制御装置７０は、ネットワークＮを介して、第４サーバ６０と通信可能に接続される。
【００２７】
図１では、システム１は、一つの受信機１０を備えているが、システム１は、複数の受信機１０を備えていて、それらが複数のユーザのそれぞれの自宅に配置されていてもよい。
【００２８】
ユーザ９０は、音声入力装置２０に音声を入力して、受信機１０を操作する。また、ユーザ９０は、リモートコントローラ８０を用いて、受信機１０を操作する。受信機１０の操作としては、例えば、電源の起動のオン・オフ、チャンネルの選択、データ放送画面の表示、ハイブリッドキャスト放送画面の表示等が挙げられる。音声入力装置２０を用いて受信機１０を操作する場合、音声入力装置２０に入力された音声に基づいて生成された受信機１０を制御する制御情報が、第４サーバ６０からネットワークＮを介して遠隔制御装置７０に送信され、遠隔制御装置７０が赤外線信号を用いて受信機１０を制御する。
【００２９】
図２は、受信機に表示される画面の例を示す図である。
【００３０】
受信機１０の画面の画像２００は、放送局から送信されるハイブリッドキャストのホームメニューを、放送番組の画面に重畳して表示している状態を示す。ユーザ９０が、音声入力装置２０又はリモートコントローラ８０を用いて、ハイブリッドキャストのホームメニューに表示されている項目を選択することにより、受信機１０はネットワークＮを介して情報を取得して再生する。これにより、ユーザ９０は、興味のある情報を個別に視聴することができる。
【００３１】
また、システム１では、音声入力装置２０又はリモートコントローラ８０を用いて、受信機１０を操作して、情報を検索することができる。特に、音声入力装置２０を用いて情報を検索する場合、ユーザ９０は、音声を用いて検索要求を音声入力装置２０へ入力できるので、リモートコントローラ８０のボタンを操作して検索要求を文字列として入力することに比べて操作性が向上する。
【００３２】
具体的には、音声入力装置２０は、ユーザ９０から音声による検索要求を入力し、音声に基づいて音声信号を生成して、ネットワークＮを介して第１サーバ３０へ送信する。第１サーバ３０は、受信した音声信号に基づいて、音声が文字列に変換された文字列情報を生成して、ネットワークＮを介して第２サーバ４０へ送信する。第２サーバ４０は、文字列情報が所定の情報の検索を要求する検索要求を含むか否かを判定し、検索要求が含まれる場合、検索要求を第３サーバ５０へ送信する。第３サーバ５０は、受信した検索要求に基づいて検索した検索結果を、受信機１０に対してネットワークＮを介して送信する。受信機１０は、受信した検索結果を再生する。これにより、ユーザ９０は、リモートコントローラ８０を操作することなく、所望の情報を取得することができるので、受信機１０の操作性が大きく向上する。
【００３３】
以下、システム１について、更に詳述する。
【００３４】
音声入力装置２０は、ユーザ９０から音声による受信機１０の操作要求又は検索要求を入力し、音声に基づいて音声信号を生成して、ネットワークＮを介して第１サーバ３０へ送信する。また、音声入力装置２０は、第１サーバ３０からネットワークＮを介して音声信号を受信し、音声信号に基づいて音声を出力する。音声入力装置２０として、例えば、スマートスピーカを用いることができる。
【００３５】
図３は、第１サーバ３０の構成を示す図である。
【００３６】
第１サーバ３０は、処理部３１と、記憶部３２と、表示部３３と、操作部３４と、通信部３５を有する。
【００３７】
処理部３１は、一つ又は複数のプロセッサと、周辺回路とを有する。処理部３１は、記憶部３２に予め記憶されている所定のコンピュータプログラムに従い、第１サーバ３０の各ハードウェア構成要素の制御及び各種処理を行い、処理中に生じるデータを一時的に保存するために記憶部３２を利用する。
【００３８】
処理部３１が有する各機能は、例えば、処理部３１が有するプロセッサ上で動作するコンピュータプログラムにより実現される機能モジュールである。又は、処理部３１が有する各機能は、それぞれ、別個の回路として、第１サーバ３０に実装されてもよい。
【００３９】
記憶部３２は、ランダムアクセスメモリ（ＲＡＭ）又はリードオンリーメモリ（ＲＯＭ）等の半導体メモリ又は磁気ディスク又はフラッシュメモリを有していても良い。記憶部３２は、所定のコンピュータプログラムを非一時的に記憶する記憶媒体を読み出し可能なドライブを有していても良い。
【００４０】
表示部３３は、処理部３１に制御されて、第１サーバ３０の動作に伴う各種の情報を表示可能である。表示部３３として、例えば、液晶ディスプレイを用いることができる。
【００４１】
操作部３４は、第１サーバ３０を操作するユーザにより操作されて、操作を入力可能である。操作部３４として、例えば、キーボード及びマウスを用いることができる。
【００４２】
通信部３５は、ネットワークＮを介して、音声入力装置２０、第２サーバ４０又は第３サーバ５０との間で情報の送受信を行う。処理部３１は、通信部３５を用いて受信された情報に基づいて、各種の処理を行う。また、処理部３１は、各種の処理を行った結果を、通信部３５を用いて送信する。通信部３５は、有線で送受信を行う通信回路及び通信線を有し得る。
【００４３】
図４は、第２サーバ４０の構成を示す図である。
【００４４】
第２サーバ４０は、処理部４１と、記憶部４２と、表示部４３と、操作部４４と、通信部４５を有する。
【００４５】
処理部４１は、一つ又は複数のプロセッサと、周辺回路とを有する。処理部４１は、記憶部４２に予め記憶されている所定のコンピュータプログラムに従い、第２サーバ４０の各ハードウェア構成要素の制御及び各種処理を行い、処理中に生じるデータを一時的に保存するために記憶部４２を利用する。
【００４６】
処理部４１が有する各機能は、例えば、処理部４１が有するプロセッサ上で動作するコンピュータプログラムにより実現される機能モジュールである。又は、処理部４１が有する各機能は、それぞれ、別個の回路として、第２サーバ４０に実装されてもよい。
【００４７】
記憶部４２は、ランダムアクセスメモリ（ＲＡＭ）又はリードオンリーメモリ（ＲＯＭ）等の半導体メモリ又は磁気ディスク又はフラッシュメモリを有していても良い。記憶部４２は、所定のコンピュータプログラムを非一時的に記憶する記憶媒体を読み出し可能なドライブを有していても良い。
【００４８】
表示部４３は、処理部４１に制御されて、第２サーバ４０の動作に伴う各種の情報を表示可能である。表示部４３として、例えば、液晶ディスプレイを用いることができる。
【００４９】
操作部４４は、第２サーバ４０を操作するユーザにより操作されて、操作を入力可能である。操作部４４として、例えば、キーボード及びマウスを用いることができる。
【００５０】
通信部４５は、ネットワークＮを介して、第１サーバ３０、第３サーバ５０又は第４サーバ６０との間で情報の送受信を行う。処理部４１は、通信部４５を用いて受信された情報に基づいて、各種の処理を行う。また、処理部４１は、各種の処理を行った結果を、通信部４５を用いて送信する。通信部４５は、有線で送受信を行う通信回路及び通信線を有し得る。
【００５１】
図５は、第３サーバ５０の構成を示す図である。
【００５２】
第３サーバ５０は、処理部５１と、記憶部５２と、表示部５３と、操作部５４と、通信部５５を有する。
【００５３】
処理部５１は、一つ又は複数のプロセッサと、周辺回路とを有する。処理部５１は、記憶部５２に予め記憶されている所定のコンピュータプログラム５２ａに従い、第３サーバ５０の各ハードウェア構成要素の制御及び各種処理を行い、処理中に生じるデータを一時的に保存するために記憶部５２を利用する。
【００５４】
処理部５１が有する各機能は、例えば、処理部５１が有するプロセッサ上で動作するコンピュータプログラムにより実現される機能モジュールである。又は、処理部５１が有する各機能は、それぞれ、別個の回路として、第３サーバ５０に実装されてもよい。
【００５５】
記憶部５２は、ランダムアクセスメモリ（ＲＡＭ）又はリードオンリーメモリ（ＲＯＭ）等の半導体メモリ又は磁気ディスク又はフラッシュメモリを有していても良い。記憶部５２は、所定のコンピュータプログラムを非一時的に記憶する記憶媒体を読み出し可能なドライブを有していても良い。
【００５６】
記憶部５２は、上述したコンピュータプログラム５２ａと、受信機管理表５２ｂと、ゴミ収集情報管理表５２ｃと、動画データ管理表５２ｄと、動画データ５２ｅを記憶する。
【００５７】
受信機管理表５２ｂには、受信機１０を識別する受信機識別番号（受信機識別情報）と、ユーザ情報と、受信機アドレスと、地域識別番号と、検索履歴情報とが関連付けられて登録される。
【００５８】
図６は、受信機管理表を説明する図である。
【００５９】
具体的には、図６に示す受信機管理表６００は、受信機識別番号欄６０１と、ユーザ情報欄６０２と、受信機アドレス欄６０３と、地域識別番号欄６０４と、検索履歴情報欄６０５を有する。
【００６０】
受信機識別番号欄６０１には、システム１が備える受信機１０のそれぞれの受信機識別番号が登録される。ユーザ情報欄６０２には、受信機１０のユーザ９０の氏名、住所、電話番号等のユーザに関する情報が登録される。受信機アドレス欄６０３には、ネットワークＮを介して、情報が受信機１０に送信される際に使用されるアドレスが登録される。例えば、受信機アドレス欄６０３には、受信機１０のＩＰアドレス及びＭＡＣアドレスが登録される。地域識別番号欄６０４には、システム１を利用するユーザ９０の居住する自治体内の地域を識別する識別番号が登録される。検索履歴情報欄６０５には、過去にユーザ９０が受信機１０を操作して検索した検索要求が登録される。
【００６１】
ゴミ収集情報管理表５２ｃには、地域識別番号と、地域識別番号により識別される自治体内の地域のゴミ収集情報が登録される。ゴミ収集情報は、自治体による地域ごとのゴミ収集の予定を有している。例えば、ゴミ収集情報は、収集されるゴミの種類が暦と関連づけられた情報を含む。
【００６２】
図７は、ゴミ収集情報管理表を説明する図である。
【００６３】
具体的には、図７に示すゴミ収集情報管理表７００は、地域識別番号欄７０１と、ゴミ収集情報欄７０２を有する。地域識別番号欄７０１には、システム１を利用するユーザ９０の居住する自治体内の地域を識別する識別番号が登録される。ゴミ収集情報欄７０２には、地域識別番号により識別される地域におけるゴミ収集情報が登録される。
【００６４】
動画データ管理表５２ｄには、動画を識別する動画識別情報と、動画名と、この動画のキーワードとが関連付けられて登録される。動画データ管理表５２ｄにより管理される動画は、例えば、ユーザ９０の要求に応じて、第３サーバ５０が、ネットワークＮを介して受信機１０に送信する動画である。システム１は、いわゆるビデオオンデマンドサービスをユーザ９０へ提供する。キーワードは、動画の内容を把握するための手がかりとなる言葉であり、例えば、ユーザ９０が所望の動画を検索する際に使用される情報である。
【００６５】
動画は、記憶部５２が動画データ５２ｅとして記憶している。動画データ５２ｅには、動画のそれぞれが、動画識別情報と関連付けられて登録される。動画データ５２ｅは、動画のそれぞれについてサムネイル画像を有する。
【００６６】
図８は、動画データ管理表を説明する図である。
【００６７】
具体的には、図８に示す動画データ管理表８００は、動画識別情報欄８０１と、動画名欄８０２と、キーワード欄８０３を有する。例えば、動画識別情報ＶＯＤ１により識別される動画１は、キーワードとして「釣りＧｉｒｌ」、「釣り」、「フィシング」と関連付けられて、動画データ管理表８００に登録されている。
【００６８】
記憶部５２は、複数の記憶装置を有していてもよい。記憶部５２は、例えば、記憶容量の大きな動画データ５２ｅを、第１の記憶装置に記憶して、他の情報を第２の記憶装置に記憶するようにしてもよい。
【００６９】
表示部５３は、処理部５１に制御されて、第３サーバ５０の動作に伴う各種の情報を表示可能である。表示部５３として、例えば、液晶ディスプレイを用いることができる。
【００７０】
操作部５４は、第３サーバ５０を操作するユーザにより操作されて、操作を入力可能である。操作部５４として、例えば、キーボード及びマウスを用いることができる。
【００７１】
通信部５５は、ネットワークＮを介して、受信機１０、第２サーバ４０又は第３サーバ５０との間で情報の送受信を行う。処理部５１は、通信部５５を用いて受信された情報に基づいて、各種の処理を行う。また、処理部５１は、各種の処理を行った結果を、通信部５５を用いて送信する。通信部５５は、有線で送受信を行う通信回路及び通信線を有し得る。
【００７２】
図９は、第４サーバ６０の構成を示す図である。
【００７３】
第４サーバ６０は、処理部６１と、記憶部６２と、表示部６３と、操作部６４と、通信部６５を有する。
【００７４】
処理部６１は、一つ又は複数のプロセッサと、周辺回路とを有する。処理部６１は、記憶部６２に予め記憶されている所定のコンピュータプログラム６２ａに従い、第４サーバ６０の各ハードウェア構成要素の制御及び各種処理を行い、処理中に生じるデータを一時的に保存するために記憶部６２を利用する。
【００７５】
処理部６１が有する各機能は、例えば、処理部６１が有するプロセッサ上で動作するコンピュータプログラムにより実現される機能モジュールである。又は、処理部６１が有する各機能は、それぞれ、別個の回路として、第４サーバ６０に実装されてもよい。
【００７６】
記憶部６２は、ランダムアクセスメモリ（ＲＡＭ）又はリードオンリーメモリ（ＲＯＭ）等の半導体メモリ又は磁気ディスク又はフラッシュメモリを有していても良い。記憶部６２は、所定のコンピュータプログラムを非一時的に記憶する記憶媒体を読み出し可能なドライブを有していても良い。
【００７７】
記憶部６２は、上述したコンピュータプログラム６２ａと、受信機管理表６２ｂを記憶する。
【００７８】
受信機管理表５２ｂには、受信機１０を識別する受信機識別番号（受信機識別情報）と、ユーザ情報と、遠隔制御装置アドレスとが関連付けられて登録される。
【００７９】
図１０は、受信機管理表を説明する図である。
【００８０】
具体的には、図１０に示す受信機管理表１０００は、受信機識別番号欄１００１と、ユーザ情報欄１００２と、遠隔制御装置アドレス欄１００３を有する。
【００８１】
受信機識別番号欄１００１には、システム１が備える受信機１０のそれぞれの受信機識別番号が登録される。ユーザ情報欄１００２には、受信機１０のユーザ９０の氏名、住所、電話番号等のユーザに関する情報が登録される。遠隔制御装置アドレス欄１００３には、ネットワークＮを介して、情報が遠隔制御装置７０に送信される際に使用されるアドレスが登録される。例えば、遠隔制御装置アドレス欄１００３には、遠隔制御装置７０のＩＰアドレス及びＭＡＣアドレスが登録される。
【００８２】
表示部６３は、処理部６１に制御されて、第４サーバ６０の動作に伴う各種の情報を表示可能である。表示部６３として、例えば、液晶ディスプレイを用いることができる。
【００８３】
操作部６４は、第４サーバ６０を操作するユーザにより操作されて、操作を入力可能である。操作部６４として、例えば、キーボード及びマウスを用いることができる。
【００８４】
通信部６５は、ネットワークＮを介して、第２サーバ４０及び遠隔制御装置７０との間で情報の送受信を行う。処理部６１は、通信部６５を用いて受信された情報に基づいて、各種の処理を行う。また、処理部６１は、各種の処理を行った結果を、通信部６５を用いて送信する。通信部６５は、有線で送受信を行う通信回路及び通信線を有し得る。
【００８５】
遠隔制御装置７０は、第４サーバ６０からネットワークＮを介して、受信機１０の動作を制御する制御情報を受信し、制御情報に基づいて制御信号を生成して、赤外線を用いて受信機１０へ送信する。受信機１０の動作を制御する制御情報としては、例えば、起動のオン・オフ、チャンネルの選択、音量の変更等が挙げられる。遠隔制御装置７０として、いわゆるスマート家電用のリモートコントローラを用いることができる。
【００８６】
次に、上述したシステム１の第１の動作例を、図１１〜図１３に示すシーケンス図を参照しながら、以下に説明する。本動作例では、ユーザ９０は、「今日のゴミ出しは」という音声を音声入力装置２０に対して入力して、システム１に対して今日収集されるゴミの種類を検索することを要求する。
【００８７】
まず、ステップＳ１１０１において、ユーザ９０は、音声入力装置２０に対して、検索要求を音声で入力する。音声入力装置２０は、入力した音声に基づいて音声信号を生成する。音声入力装置２０は、例えば、バイナリデータの音声信号を生成する。本動作例では、ユーザ９０は、「今日のゴミ出しは」という音声を音声入力装置２０に対して入力する。この音声は、システム１に対して、ユーザ９０の自宅１００のある地域において、今日収集されるゴミの種類を検索することを要求する検索要求を意味する。
【００８８】
次に、ステップＳ１１０３において、音声入力装置２０は、音声信号と、音声に基づいて検索された検索結果を送信する送信先の受信機１０を識別する受信機識別番号とを、ネットワークＮを介して第１サーバ３０へ送信する。受信機識別番号として、例えば、受信機１０に搭載されるＢ−ＣＡＳ（登録商標）カードの番号を用いることができる。
【００８９】
次に、ステップＳ１１０５において、第１サーバ３０は、音声信号及び受信機識別番号を受信する。第１サーバ３０は、受信した音声信号に基づいて、音声が文字列に変換された文字列情報を生成する。本動作例では、第１サーバ３０は、「今日のゴミ出しは」という音声信号に基づいて、「きょうのごみだしは」という文字列情報を生成する。第１サーバ３０は、入力する音声信号と、出力する文字列情報との関係を学習可能であることが好ましい。これにより、第１サーバ３０は、新たな音声の表現に対応するとともに、音声信号に基づいた文字列情報の生成精度を向上できる。
【００９０】
次に、ステップＳ１１０７において、第１サーバ３０は、文字列情報から別途登録されている所定の文字列を抽出する。本動作例では、第１サーバ３０は、「きょうのごみだしは」という文字列情報に基づいて、「きょう」という文字列と、「ごみだし」という文字列を抽出する。上述した第１サーバ３０の処理は、例えば、Ａｍａｚｏｎ  Ａｌｅｘａ（登録商標）が提供するサービスを用いることにより実現可能である。
【００９１】
本動作例では、ユーザ９０は、「今日のゴミ出しは」という音声を音声入力装置２０に対して入力していた。この音声は、地域によっては、例えば、「今日のゴミ投げは」又は「今日のゴミほりは」という方言で表され得る。第１サーバ３０には、登録される所定の文字列として、「ごみだし」、「ごみなげ」、「ごみほり」という同じ内容を意味する異なる表現が登録されているので、方言にも対応して文字列情報から所定の文字列を抽出できる。
【００９２】
次に、ステップＳ１１０９において、第１サーバ３０は、文字列情報から抽出された文字列及び受信機識別番号を、ネットワークＮを介して第２サーバ４０へ送信する。
【００９３】
次に、ステップＳ１２０１において、第２サーバ４０は、文字列情報から抽出された文字列及び受信機識別番号を受信する。そして、第２サーバ４０は、文字列情報から抽出された文字列に基づいて、文字列情報が検索要求を含むか否かを判定する。本動作例では、第２サーバ４０は、文字列情報から抽出された文字列「きょう」及び「ごみだし」に基づいて、文字列情報が、今日収集されるゴミの種類を検索することを要求する検索要求を含むと判定する。そして、第２サーバ４０は、第３サーバ５０に対して、今日収集されるゴミの種類を検索することを要求する検索要求を生成する。
【００９４】
第２サーバ４０は、文字列情報から抽出された文字列が、「きょう」及び「ごみなげ」の時と、「きょう」及び「ごみほり」の時にも、文字列「きょう」及び「ごみだし」を受信した時と同一の今日収集されるゴミの種類を検索することを要求する検索要求を生成する。このように、第２サーバ４０は、方言にも対応して検索要求を生成することができる。第２サーバ４０は、入力する文字列と、出力する判定結果との関係を学習可能であることが好ましい。これにより、第２サーバ４０は、新たな方言等の表現に対応するとともに、文字列に基づいた検索要求の判定精度を向上できる。
【００９５】
次に、ステップＳ１２０３において、第２サーバ４０は、文字列情報が検索要求を含むと判定した場合、検索要求及び受信機識別番号を、ネットワークＮを介して第３サーバ５０へ送信する。
【００９６】
次に、ステップＳ１２０５において、第２サーバ４０は、文字列情報が検索要求を含むと判定した場合、受信機識別番号により識別される受信機１０をネットワークＮを介して送信される検索結果を表示可能な状態にさせる要求であるスタンバイ要求と、受信機識別番号とを、ネットワークＮを介して第４サーバ６０へ送信する。
【００９７】
上述した第２サーバ４０の処理であるステップＳ１２０３及びＳ１２０５の順番は逆であってもよい。
【００９８】
また、第２サーバ４０は、文字列情報が受信機１０に対する操作要求を含むか否かを判定する。例えば、ユーザ９０が「テレビをつけて」というような受信機１０に対する操作要求を音声入力装置２０へ入力した場合、「てれびをつけて」という文字列情報を生成し、「てれび」及び「つけて」という文字列を抽出して、第３サーバ５０へ送信する。第３サーバ５０は、文字列「てれび」及び「つけて」に基づいて、文字列情報が受信機１０を起動状態にすることを要求する起動要求を含むと判定して、受信機１０を起動状態にする起動要求を、ネットワークＮを介して第４サーバ６０へ送信する。
【００９９】
なお、第２サーバ４０が、文字列情報が検索要求及び操作要求を含まないと判定した場合、システム１は、文字列情報に対するそれ以降の処理を停止する。
【０１００】
次に、ステップＳ１２０７において、第４サーバ６０は、スタンバイ要求及び受信機識別番号を受信する。第４サーバ６０の処理部６１は、記憶部６２が記憶する受信機管理表６２ｂを参照して、受信機識別番号に基づいて、受信機識別番号と関連付けられている遠隔制御装置アドレスを取得する。そして、処理部６１は、通信部６５を用いて、受信機１０を起動状態にする起動要求及びスタンバイ要求を、取得した遠隔制御装置アドレスに基づいて、ネットワークＮを介して遠隔制御装置７０へ送信する。
【０１０１】
次に、ステップＳ１３０１において、遠隔制御装置７０は、受信機１０を起動状態にする起動要求及びスタンバイ要求を受信する。遠隔制御装置７０は、受信機１０を起動状態にする起動命令を、受信機１０に対して赤外線で送信する。そして、遠隔制御装置７０は、スタンバイ命令を、受信機１０に対して赤外線で送信する。例えば、受信機１０の１１チャンネルが、ハイブリッドキャストのホームメニューを放送番組の画面に重畳して表示させる設定となっている場合、遠隔制御装置７０は、スタンバイ命令として、受信機１０に対して１１チャンネルを選択させる命令を、受信機１０に対して赤外線で送信してもよい。
【０１０２】
次に、ステップＳ１３０３において、受信機１０は、起動命令を受信して起動状態になる。そして、受信機１０は、スタンバイ命令を受信してスタンバイ状態となる。例えば、受信機１０は、１１チャネルを選択して、ハイブリッドキャストのホームメニューを放送番組の画面に重畳して表示した状態となる。
【０１０３】
次に、ステップＳ１３０５において、第３サーバ５０は、検索要求及び受信機識別番号を受信する。第３サーバ５０は、受信した検索要求に基づいて検索結果を取得する。具体的には、まず、第３サーバ５０の処理部５１は、記憶部５２が記憶する受信機管理表５２ｂを参照して、受信機識別番号に基づいて、受信機識別番号と関連付けられている地域識別番号を取得する。そして、処理部５１は、記憶部５２が記憶するゴミ収集情報管理表５２ｃを参照して、地域識別番号に基づいて、地域識別番号と関連付けられているゴミ収集情報を取得する。例えば、処理部５１は、ゴミ収集情報に基づいて、本日収集されるゴミの種類及び今月のゴミ収集予定情報を取得する。そして、処理部５１は、受信した検索要求を、受信機識別番号と関連づけて、記憶部５２が記憶する受信機管理表５２ｂの検索履歴情報欄に登録する。
【０１０４】
次に、ステップＳ１３０７において、第３サーバ５０は、検索結果を受信機１０において表示するための表示情報を生成する。本動作例では、第３サーバ５０は、今月のゴミ収集予定情報を示す画像情報を生成する。
【０１０５】
また、第３サーバ５０は、本日の収集されるゴミの種類を含む文字列情報（例えば、「きょうは、もえるごみのひです（今日は、もえるゴミの日です）」）を生成して、第１サーバ３０へ送信する。第１サーバ３０は、文字列情報に基づいて音声信号を生成して、音声入力装置２０へ送信する。音声入力装置２０は、音声信号に基づいて、音声を生成して出力する。例えば、音声入力装置２０は、「今日は、燃えるゴミの日です。」と音声を出力する。これにより、ユーザ９０は、「今日のゴミ出しは」という検索要求に対して音声による検索結果が回答として得られる。
【０１０６】
次に、ステップＳ１３０９において、第３サーバ５０の処理部５１は、記憶部５２が記憶する受信機管理表５２ｂを参照して、受信機識別番号に基づいて、受信機識別番号と関連付けられている受信機アドレスを取得する。そして、処理部５１は、通信部５５を用いて、検索結果を受信機１０において表示するための表示情報を、取得した受信機アドレスに基づいて、ネットワークＮを介して受信機１０へ送信する。
【０１０７】
また、第３サーバ５０の処理部５１は、記憶部５２が記憶する受信機管理表５２ｂを参照して、検索履歴情報欄に登録されている検索要求について、同じ検索が要求されている回数が所定の回数以上となっている検索要求の有無を判定する。所定の回数以上の検索を要求されている検索要求がある場合、処理部５１は、この検索要求について検索した検索結果についても、受信機１０へ送信してもよい。ただし、所定の回数以上の検索を要求されている検索要求の内容が今回の検索要求と同じ場合には、処理部５１は、この処理は行わない。
【０１０８】
次に、ステップＳ１３１１において、受信機１０は、受信した検索結果を表示する。
【０１０９】
図１４は、受信機の画面に表示される検索結果の例を示す図である。
【０１１０】
図１４は、本動作例において、今月のゴミ収集予定情報の画像を表示する受信機１０の画面１４００を示す。画面１４００は、ユーザ９０の自宅１００のある自治体の地域の今月のゴミ出しカレンダーを表示する。ユーザ９０は、ゴミ出しカレンダーの今日の欄を見て、今日収集されるゴミの種類を確認できる。なお、収集されるゴミの種類の記載のない日は、ゴミの収集のない日を意味する。受信機１０は、ブラウザ機能を用いて、受信した検索結果を表示してもよい。
【０１１１】
次に、上述した本実施形態のシステム１の第２の動作例を、図１１〜図１３に示すシーケンス図を参照しながら、以下に説明する。本動作例では、ユーザ９０は、「ＶＯＤ検索で釣りを探して」という音声を音声入力装置２０に対して入力して、システム１に対して釣りに関する動画を検索することを要求する。
【０１１２】
まず、ステップＳ１１０１において、ユーザ９０は、音声入力装置２０に対して、検索要求を音声で入力する。音声入力装置２０は、入力した音声に基づいて音声信号を生成する。本動作例では、ユーザ９０は、「ＶＯＤ検索で釣りを探して」という音声を音声入力装置２０に対して入力する。この音声は、システム１に対して、釣りに関する動画を検索することを要求する検索要求を意味する。
【０１１３】
次に、ステップＳ１１０３において、音声入力装置２０は、音声信号と、音声に基づいて検索された検索結果を送信する送信先の受信機１０を識別する受信機識別番号とを、ネットワークＮを介して第１サーバ３０へ送信する。
【０１１４】
次に、ステップＳ１１０５において、第１サーバ３０は、音声信号及び受信機識別番号を受信する。第１サーバ３０は、受信した音声信号に基づいて、音声が文字列に変換された文字列情報を生成する。本動作例では、第１サーバ３０は、「ＶＯＤ検索で釣りを探して」という音声信号に基づいて、「びーおーでぃけんさくでつりをさがして」という文字列情報を生成する。
【０１１５】
次に、ステップＳ１１０７において、第１サーバ３０は、文字列情報から別途登録されている所定の文字列を抽出する。本動作例では、第１サーバ３０は、「びーおーでぃけんさくでつりをさがして」という文字列情報に基づいて、「びーおーでぃけんさく」という文字列と、「つり」という文字列を抽出する。
【０１１６】
本動作例では、ユーザ９０は、「ＶＯＤ検索で釣りを探して」という音声を音声入力装置２０に対して入力していた。釣りに関する動画を検索する要求は、例えば、「ＶＯＤ検索でフィッシングを探して」、「ＶＯＤ検索でさかな釣りを探して」、「ＶＯＤ検索でうお釣りを探して」又は「ＶＯＤ検索でイユクヮーサーを探して」という音声でも表され得る。第１サーバ３０には、登録される所定の文字列として、「ふぃっしんぐ」、「さかなつり」、「うおつり」、「いゆくゎーさー」という同じ内容を意味する言葉が登録されているので、同じ内容を有する他の表現にも対応して、文字列情報から所定の文字列を抽出することができる。
【０１１７】
次に、ステップＳ１１０９において、第１サーバ３０は、文字列情報から抽出された文字列及び受信機識別番号を、ネットワークＮを介して第２サーバ４０へ送信する。
【０１１８】
次に、ステップＳ１２０１において、第２サーバ４０は、文字列情報から抽出された文字列及び受信機識別番号を受信する。そして、第２サーバ４０は、文字列情報から抽出された文字列に基づいて、文字列情報が検索要求を含むか否かを判定する。本動作例では、第２サーバ４０は、文字列情報から抽出された文字列「びーおーでぃけんさく」及び「つり」に基づいて、文字列情報が、釣りに関する動画を検索することを要求する検索要求を含むと判定する。具体的には、第２サーバ４０は、文字列「びーおーでぃけんさく」に基づいて、文字列情報が動画を検索する検索要求を含むと判定する。また、第２サーバ４０は、文字列「つり」に基づいて、文字列情報が「つり」というキーワードを含むと判定する。そして、第２サーバ４０は、文字列情報が、「つり」というキーワードと関連付けられた動画を検索することを要求する検索要求を含むと判定する。そして、第２サーバ４０は、第３サーバ５０に対して、釣りに関する動画を検索することを要求する検索要求を生成する。
【０１１９】
第２サーバ４０は、文字列情報から抽出された文字列が、「びーおーでぃけんさく」及び「ふぃっしんぐ」の時と、「びーおーでぃけんさく」及び「さかなつり」の時と、「びーおーでぃけんさく」及び「うおつり」の時と、「びーおーでぃけんさく」及び「いゆくゎーさー」の時にも、文字列「びーおーでぃけんさく」及び「つり」を受信した時と同一の釣りに関する動画を検索することを要求する検索要求を生成する。このように、第２サーバ４０は、表現は異なるが同じ内容の情報の検索を要求する音声に対して、同一の検索要求を生成する。
【０１２０】
次に、ステップＳ１２０３において、第２サーバ４０は、文字列情報が検索要求を含むと判定した場合、検索要求及び受信機識別番号を、ネットワークＮを介して第３サーバ５０へ送信する。
【０１２１】
次に、ステップＳ１２０５において、第２サーバ４０は、文字列情報が検索要求を含むと判定した場合、受信機識別番号により識別される受信機１０をネットワークＮを介して送信される検索結果を表示可能な状態にさせる要求であるスタンバイ要求と、受信機識別番号とを、ネットワークＮを介して第４サーバ６０へ送信する。
【０１２２】
次に、ステップＳ１２０７において、第４サーバ６０は、スタンバイ要求及び受信機識別番号を受信する。第４サーバ６０の処理部６１は、記憶部６２が記憶する受信機管理表６２ｂを参照して、受信機識別番号に基づいて、受信機識別番号と関連付けられている遠隔制御装置アドレスを取得する。そして、処理部６１は、通信部６５を用いて、受信機１０を起動状態にする起動要求及びスタンバイ要求を、取得した遠隔制御装置アドレスに基づいて、ネットワークＮを介して遠隔制御装置７０へ送信する。
【０１２３】
次に、ステップＳ１３０１において、遠隔制御装置７０は、受信機１０を起動状態にする起動要求及びスタンバイ要求を受信する。遠隔制御装置７０は、受信機１０を起動状態にする起動命令を、受信機１０に対して赤外線で送信する。そして、遠隔制御装置７０は、受信機１０をネットワークＮを介して送信される検索結果を表示可能な状態にさせる要求であるスタンバイ命令を、受信機１０に対して赤外線で送信する。
【０１２４】
次に、ステップＳ１３０３において、受信機１０は、起動命令を受信して起動状態になる。そして、受信機１０は、スタンバイ命令を受信してスタンバイ状態となる。
【０１２５】
次に、ステップＳ１３０５において、第３サーバ５０は、検索要求及び受信機識別番号を受信する。第３サーバ５０は、受信した検索要求に基づいて検索結果を取得する。具体的には、まず、第３サーバ５０の処理部５１は、記憶部５２が記憶する動画データ管理表５２ｄを参照して、検索要求の「つり」に基づいて、キーワード「釣り」と関連付けられている動画識別情報及び動画名を取得する。本動作例では、処理部５１は、キーワード「釣り」と関連付けられている動画識別情報及び動画名として、「ＶＯＤ１」及び動画１、並びに、「ＶＯＤ２」及び動画２を取得する。そして、処理部５１は、受信した検索要求を、受信機識別番号と関連づけて、記憶部５２が記憶する受信機管理表５２ｂの検索履歴情報欄に登録する。
【０１２６】
次に、ステップＳ１３０７において、第３サーバ５０は、検索結果を受信機１０において表示するための表示情報を生成する。本動作例では、第３サーバ５０は、釣りに関する動画情報を示す画像情報を生成する。具体的には、第３サーバ５０の処理部５１は、記憶部５２の動画データ５２ｅを参照して、動画識別情報に基づいて、動画識別情報「ＶＯＤ１」と関連付けられたサムネイル画像と、動画識別情報「ＶＯＤ２」と関連付けられたサムネイル画像を取得する。そして、処理部５１は、「ＶＯＤ１」のサムネイル画像及び動画名と、「ＶＯＤ２」のサムネイル画像及び動画名とを含む画像情報を生成する。
【０１２７】
次に、ステップＳ１３０９において、第３サーバ５０の処理部５１は、記憶部５２が記憶する受信機管理表５２ｂを参照して、受信機識別番号に基づいて、受信機識別番号と関連付けられている受信機アドレスを取得する。そして、処理部５１は、通信部５５を用いて、検索結果を受信機１０において表示するための表示情報を、取得した受信機アドレスに基づいて、ネットワークＮを介して遠隔制御装置７０へ送信する。
【０１２８】
次に、ステップＳ１３１１において、受信機１０は、受信した検索結果を表示する。
【０１２９】
図１５は、受信機の画面に表示される検索結果の例を示す図である。
【０１３０】
図１５は、本動作例において、釣りに関する動画の検索結果の画像を表示する受信機１０の画面１５００を示す。画面１５００は、動画名「動画１」及びサムネイル画像と、動画名「動画２」及びサムネイル画像を含む動画検索結果を表示する。受信機１０は、ブラウザ機能を用いて、受信した検索結果を表示してもよい。
【０１３１】
ユーザ９０が、音声入力装置２０又はリモートコントローラ８０を用いて、所望の動画を選択することにより、動画の選択情報は、第１サーバ３０及び第２サーバ４０を介して、第３サーバ５０へ送信される。第３サーバ５０は、選択された動画の動画データをネットワークＮを介して受信機１０へ送信する。これにより、ユーザ９０は、受信機１０を用いて、動画を視聴することができる。第３サーバ５０は、選択された動画を視聴するための料金を電子決済によりユーザ９０へ請求する。
【０１３２】
上述した本実施形態のシステムによれば、音声で情報の検索要求を入力して、検索した情報を受信機に表示することができるので、受信機の操作性が向上する。音声で情報を入力することは、リモートコントローラのボタンを押す操作と比べて容易であり、多くの情報を短い時間で入力することができる。特に、高齢者又は子供が情報を検索することを容易にする。
【０１３３】
本発明では、上述した実施形態のシステム、サーバ及び方法は、本発明の趣旨を逸脱しない限り適宜変更が可能である。
【０１３４】
例えば、上述した実施形態では、第２サーバと第３サーバとは、別のサーバであったが、第２サーバ及び第３サーバの機能は、一つのサーバが行ってもよい。
【０１３５】
また、上述した実施形態では、システムは、第１サーバから第４サーバの４つのサーバを備えていたが、第１サーバ又は第４サーバの機能を、他のサーバが備えるようにしてもよい。
【符号の説明】
【０１３６】
１    システム
１０    受信機
２０    音声入力装置
３０    第１サーバ
３１    処理部
３２    記憶部
３３    表示部
３４    操作部
３５    通信部
４０    第２サーバ
４１    処理部
４２    記憶部
４３    表示部
４４    操作部
４５    通信部
５０    第３サーバ
５１    処理部
５２    記憶部
５２ａ    コンピュータプログラム
５２ｂ    受信機管理表
５２ｃ    ゴミ収集情報管理表
５２ｄ    動画データ管理表
５２ｅ    動画データ
５３    表示部
５４    操作部
５５    通信部
６０    第４サーバ
６１    処理部
６２    記憶部
６２ａ    コンピュータプログラム
６２ｂ    受信機管理表
６３    表示部
６４    操作部
６５    通信部
７０    遠隔制御装置
８０    リモートコントローラ
９０    ユーザ
【図１】
2020030513.tif 000003
【図２】
2020030513.tif 000004
【図３】
2020030513.tif 000005
【図４】
2020030513.tif 000006
【図５】
2020030513.tif 000007
【図６】
2020030513.tif 000008
【図７】
2020030513.tif 000009
【図８】
2020030513.tif 000010
【図９】
2020030513.tif 000011
【図１０】
2020030513.tif 000012
【図１１】
2020030513.tif 000013
【図１２】
2020030513.tif 000014
【図１３】
2020030513.tif 000015
【図１４】
2020030513.tif 000016
【図１５】
2020030513.tif 000017